(57)【要約】      （修正有）【課題】睡眠中の姿勢を首で支えることにより肩こり、首こり、寝違えを防止し、かつ必要以上の温まりを防止した、安眠出来る枕及び付属品を提供する。【解決手段】枕は、水平方向に細長い略直方体形状の頭支持部材２と、板形状の首支持部材３を有する。首支持部材３は首の形状に適合した曲線形状に折り曲げて頭支持部材２の上面及び下面と接合する。頭支持部材２に水平方向、上下方向及び鉛直方向に切込線５を設ける。頭支持部材２と首支持部材３との間に空洞部７を設け、首支持部材３の曲線形状部に排気穴６を設ける。【選択図】図３
0003161100.tif 000002
【実用新案登録請求の範囲】
【請求項１】
水平方向に細長い略直方体形状の頭支持部材と、板形状の首支持部材を有し、頭支持部材の底面を首支持部材の中央または中央近傍に接合し、首支持部材の頭支持部材と接合していない部位を、上方向から頭支持部材の上面に、下方向から頭支持部材の下面にそれぞれ首の形状に適合した曲線形状に折り曲げて接合することで頭支持部材の上面及び下面と首支持部材との間に空洞を設け、上下方向に細長い略直方体形状で首支持部材の曲線形状に適合した曲線形状を有する側面部材を、頭支持部材及び首支持部材の両側面から接合した構成であることを特徴とする枕。
【請求項２】
前記頭支持部材、首支持部材及び側面部材の材質に弾力性を有した柔らかいものを使用し、首支持部材の材質は頭支持部材よりも硬いものを使用したことを特徴とする請求項１記載の枕。
【請求項３】
前記頭支持部材、側面部材の材質にスポンジを使用し、首支持部材の材質に頭支持部材、側面部材よりも硬いスポンジを使用したことを特徴とする請求項２記載の枕。
【請求項４】
前記頭支持部材の天井面の中央または中央近傍に、上下方向に細長い形状となる切込を水平方向、上下方向に有し、かつ該切込から頭支持部材内部の鉛直方向に切込を有することを特徴とする請求項１〜３記載のいずれかの枕。
【請求項５】
前記首支持部材の曲線形状部に穴をあけたことを特徴とする請求項１〜４記載のいずれかの枕。
【請求項６】
請求項１〜５記載のいずれかの枕の高さを増やすために使用する板形状の高さ調整部材。
【請求項７】
請求項１〜５記載のいずれかの枕の形状に適合した袋形状で開口部を有する枕収納部と、前記高さ調整部材の形状に適合した袋形状で開口部を有する高さ調整部材収納部から構成されることを特徴とする枕カバー。
【請求項８】
前記高さ調整部材収納部の開口部の先端を収納部の内部に折り返したことを特徴とする請求項７記載の枕カバー。
【請求項９】
板形状の部材と、該部材の形状に適合した袋形状の部材カバーから構成され、請求項１〜５記載のいずれかの枕と前記高さ調整部材を収納した前記枕カバーの枕収納部と高さ調整部材収納部で挟み込んで、高さを増やすために使用する高さ調整部材。
【考案の詳細な説明】
【技術分野】
【０００１】本考案は、安眠出来る枕及び付属品に関するものである。
【背景技術】
【０００２】枕は安眠出来るように工夫されているものがある。
例えば、横向き、うつ伏せの際に頭、首、肩の負担を少なくするために、中身に綿やスポンジのような弾性力を有しかつ柔らかい材質を使用したものがある。
また、仰向けで寝た際に頭、首、肩の負担を少なくするために、頭から首への形状に適合した曲線形状とし、中身に頭、首からの荷重に対する抗力が小さい低反発の材質を使用した、一般的に低反発枕を呼ばれているものがある（特許文献１参照）。
【先行技術文献】
【特許文献】
【０００３】
【特許文献１】特開２０００−１０２４６８号公報
【考案の概要】
【考案が解決しようとする課題】
【０００４】肩こり、首こり、寝違えは様々な原因があり、その１つとして枕が合わないことがあげられる。
本考案者は、中身に綿やスポンジのような弾性力を有しかつ柔らかい材質を使用した枕や、低反発枕を使用したことがある。しかし自分に合うものがなく肩こり、首こり、寝違えを起こすことがあった。原因は枕の構造にある。
中身に綿やスポンジのような弾性力を有しかつ柔らかい材質を使用した枕、低反発枕のいずれも、頭と首からの荷重を同じ材質で受け止める構造となっている。そのため頭と首の枕に沈みこむ深さが同じとなり、睡眠中の姿勢を首で支えるようになっていなかった。
また、枕が必要以上に温まることにより暑苦しさを感じて目を覚まし、睡眠が十分に取れないことがあった。
本考案は、睡眠中の姿勢を首で支えることにより肩こり、首こり、寝違えを防止し、かつ必要以上の温まりを防止した、安眠出来る枕及び付属品を提供するものである。
【課題を解決するための手段】
【０００５】前記課題を解決するため本考案に係る枕は請求項１記載の構成を有する。すなわち水平方向に細長い略直方体形状の頭支持部材と、板形状の首支持部材を有し、頭支持部材の底面を首支持部材の中央または中央近傍に接合し、首支持部材の頭支持部材と接合していない部位を、上方向から頭支持部材の上面に、下方向から頭支持部材の下面にそれぞれ首の形状に適合した曲線形状に折り曲げて接合することで頭支持部材の上面及び下面と首支持部材との間に空洞を設け、上下方向に細長い略直方体形状で首支持部材の曲線形状に適合した曲線形状を有する側面部材を、頭支持部材及び首支持部材の両側面から接合している。この構成とすることで、首支持部材が睡眠中の姿勢を首で支えて、肩こり、首こり、寝違えを防止し安眠出来る。
請求項２または３記載の枕は、請求項１記載の枕の頭支持部材、首支持部材及び側面部材の材質に弾力性を有した柔らかいものを使用し、首支持部材の材質は頭支持部材よりも硬いものを使用した構成である。この構成とすることで、請求項１記載の枕に比べて首が枕に沈む深さを頭が枕に沈む深さよりも浅くして、睡眠中の姿勢を首で支えて、肩こり、首こり、寝違えを防止し更に安眠出来る。
請求項４記載の枕は、請求項１〜３記載のいずれかの枕の頭支持部材の天井面の中央または中央近傍に、上下方向に細長い形状となる切込を水平方向、上下方向に有し、かつ該切込から頭支持部材内部の鉛直方向に切込を有した構成である。この構成とすることで、請求項１〜３記載のいずれかの枕に比べて頭を安定させて支持し更に安眠出来る。
請求項５記載の枕は、請求項１〜４記載のいずれかの枕の首支持部材の曲線形状部に穴をあけた構成である。この構成とすることで、請求項１〜４記載のいずれかの枕に比べて頭支持部材の上面及び下面と首支持部材との間の空洞の空気、熱を枕の外部に排出し温度を下げて、必要以上の温まりを防止し更に安眠出来る。【０００６】請求項６記載の高さ調整部材は、請求項１〜５記載のいずれかの枕の高さを増やすために使用する板形状の構成である。
請求項７記載の枕カバーは、請求項１〜５記載のいずれかの枕の形状に適合した袋形状で開口部を有する枕収納部と、請求項６記載の高さ調整部材の形状に適合した袋形状で開口部を有する高さ調整部材収納部を有した構成である。この構成とすることで、枕のみ使用、枕と高さ調整部材を使用、の２段階に枕の高さを調整でき、更に安眠出来る。
請求項８記載の枕カバーは、請求項７記載の枕カバーの高さ調整部材収納部の開口部の先端を収納部の内部に折り返した構成である。この構成とすることで、高さ調整部材が高さ調整部材収納部から外に飛び出さないように出来る。
請求項９記載の高さ調整部材は、板形状の部材と、該部材の形状に適合した袋形状の部材カバーを有した構成である。この構成とすることで、請求項１〜５記載のいずれかの枕と請求項６記載の高さ調整部材を収納した請求項７または８記載の枕カバーの枕収納部と高さ調整部材収納部で挟み込んで更に枕の高さを増やすことが出来る。そのため、枕のみ使用、枕と１つの高さ調整部材を使用、枕と２つの高さ調整部材を使用、の３段階に枕の高さを調整でき、更に安眠出来る。
【考案の効果】
【０００７】本考案に係る枕の首を支持する部材は首を支えるのに適した構造とし、頭を支持する部材よりも硬い材質としている。これにより首が枕に沈む深さを頭が枕に沈む深さよりも浅くして、睡眠中の姿勢を首で支えることで肩こり、首こり、寝違えを防止し、安眠出来る。かつ頭を支持する部材に切込を設けることにより頭を安定して支持し、さらに安眠出来る。かつ空洞部、排気穴を設けることにより空洞部の空気、熱を枕の外部に排出し温度を下げることで必要以上の温まりを防止し、さらに安眠出来る。
本考案に係る枕は、自分の希望する高さに調整するための調整部材を２つ設けている。
これにより枕のみ使用、枕と１つの調整部材を使用、枕と２つの調整部材を使用、の３段階に枕の高さに調整でき、さらに安眠出来る。
【図面の簡単な説明】
【０００８】
【図１】本考案に係る枕を表わす平面図
【図２】本考案に係る枕を表わす右側面図
【図３】本考案に係る枕を表わす右側面図（矢視Ａ−Ａ）
【図４】本考案に係る枕カバーを表わす平面図
【図５】本考案に係る枕カバーを表わす右側面図
【図６】本考案に係る高さ調整部材（Ａ）を表わす平面図
【図７】本考案に係る高さ調整部材（Ａ）を表わす右側面図
【図８】本考案に係る高さ調整部材（Ｂ）を表わす平面図
【図９】本考案に係る高さ調整部材（Ｂ）を表わす右側面図
【図１０】本考案に係る枕を枕カバーに収納した使用方法を表わす右側面図
【図１１】本考案に係る枕、高さ調整部材（Ａ）を枕カバーに収納した使用方法を表わす右側面図
【図１２】本考案に係る枕、高さ調整部材（Ａ）を枕カバーに収納し、高さ調整部材（Ｂ）を枕収納部と高さ調整部材収納部で挟み込んだ使用方法を表わす右側面図
【考案を実施するための形態】
【０００９】以下、添付図面を参照して、本考案を実施するための形態について説明する。
図１〜４は本考案に係る枕を表わす図面であり、図１は平面図、図２は右側面図、図３は図１の矢視Ａ−Ａの右側面図である。図４、５は本考案に係る枕カバーを表わす図面であり、図４は平面図、図５は右側面図である。図６、７は本考案に係る高さ調整部材（Ａ）を表わす図面であり、図６は平面図、図７は右側面図である。図８、９は本考案に係る高さ調整部材（Ｂ）を表わす図面であり、図８は平面図、図９は右側面図である。図１０〜１２は本考案に係る枕、高さ調整部材（Ａ）及び高さ調整部材（Ｂ）の使用方法を表わす図面であり、図１０は枕を枕カバーに収納した使用方法を、図１１は枕、高さ調整部材（Ａ）を枕カバーに収納した使用方法を、図１２は枕、高さ調整部材（Ａ）を枕カバーに収納し、高さ調整部材（Ｂ）を枕収納部と高さ調整部材収納部で挟み込んだ使用方法を表わす右側面図である。
【００１０】図１〜３に示すように、枕１は頭支持部材２、首支持部材３、側面部材４、切込線５、排気穴６及び空洞部７から構成される。
【００１１】頭支持部材２は頭を支持するための部材であり、図１、３に示すように直方体形状をしている。頭支持部材２は弾性力を有した柔らかい材質を用いる。例えばスポンジが好ましいが、これに限定されるものではない。
【００１２】首支持部材３は首を支持するための部材であり、上下方向（図１のＹ方向）の長さは頭支持部材２の上下方向の長さよりも短くしている。首の長さにするのが好ましいが、これに限定されるものではない。首支持部材３の鉛直方向（図２のＺ方向）の形状は、首の形状に適合した楕円の半円形状が好ましいが、正円の半円形状にしてもよい。また前記楕円、正円の頂点近傍を直線状にしてもよいが、これらに限定されるものではない。
首支持部材３は弾性力を有しかつ頭支持部材２よりも硬い材質を用いる。例えば硬いスポンジが好ましいが、これに限定されるものではない。
首支持部材３は上下方向（図１のＹ方向）の長さ、鉛直方向（図２のＺ方向）の形状から首を支えるのに適した構造であり、かつ頭支持部材２よりも硬い材質を用いるので、首の枕に沈みこむ深さが頭よりも浅くなる。そのため睡眠中の姿勢を首で支えるため、肩こり、首こり、寝違えを防止し安眠出来る。
【００１３】側面部材４は頭支持部材２と首支持部材３とを接合するための部材であり、略直方体形状をしている。側面部材４の鉛直方向（図２のＺ方向）の形状は、首支持部材３の鉛直方向の形状と同様に首の形状に適合した楕円の半円形状が好ましいが、正円の半円形状にしてもよい。また前記楕円、正円の頂点近傍を直線状にしてもよいが、これらに限定されるものではない。
側面部材４は頭支持部材２と同様に弾性力を有した柔らかい材質を用いる。例えばスポンジが好ましいが、これに限定されるものではない。
頭支持部材２、首支持部材３及び側面部材４の接合は、側面部材４に接着剤を塗布して行うのが好ましいが、これに限定するものではない。
【００１４】切込線５は、頭支持部材２で頭をより安定して支持するために設けたものである。水平方向（図１のＸ方向）の位置は中央が好ましいが、これに限定されるものではない。
水平方向の長さ（幅）、上下方向（図１、２のＹ方向）の長さ及び鉛直方向（図２のＺ方向）の長さ（深さ）は使用者が適宜決めてかまわない。
【００１５】図３は図１の矢視Ａ−Ａの右側面図であり、首支持部材３の内部は空洞とした空洞部７を設けている。図１〜３に示すように首支持部材３には空洞部７の空気、熱を排気、排出する排気穴６を設けている。枕１を使用すると、頭支持部材２、首支持部材３は鉛直方向（図２、３のＺ方向）下向きに頭及び首からの荷重を受ける。これにより空洞部７の空気が排気穴６を通して枕１の外部に排気される。排気により空洞部７の熱も枕１の外部に排出されるため枕１の温度を下げることが出来る。そのため枕の必要以上の温まりを防止し安眠出来る。
睡眠中は何度か枕１に対して頭、首の位置が変わることがあるが、その都度、枕１は頭、首からの荷重を受けることで空洞部７の空気、熱を枕１の外部に排気、排出し、枕１の温度を下げる。
排気穴６の位置、数及び大きさは空洞部７の空気、熱が排気、排出できればどのようにしてもよいが、首支持部材３の鉛直方向（図２、３のＺ方向）の中心及び中心より上部に、水平方向（図１のＸ方向）の中心、端近傍、中心から端近傍に至る場所にいくつか設けるのが好ましい。図１から３には、首支持部材３のそれぞれに、鉛直方向の中心に３つ、中心より上部に２つ設けている。鉛直方向の中心に設けた３つは、水平方向の中心に１つ、両端近傍に設けている。鉛直方向の中心より上部に設けた２つは、中心から両端近傍に至る場所に設けている。ただしこれらの例に限定されるものではない。
【００１６】図４、５に示すように、枕カバー１１は枕収納部１２、枕収納部開口部１３、高さ調整部材収納部１４、高さ調整部材収納部開口部１５及び高さ調整部材収納部ストッパ１６から構成される。
【００１７】枕収納部１２は枕１を収納するために袋形状としており、水平方向（図４のＸ方向）を開いて枕収納部開口部１３を設けている。枕収納部開口部１３から枕１の収納、取出しを行う。枕収納部開口部１３を設ける方向は上下方向（図４、５のＹ方向）であってもよく、これらに限定されるものではない。
【００１８】高さ調整部材収納部１４は、後述の高さ調整部材（Ａ）１７を収納するために袋形状としており、水平方向（図４のＸ方向）を開いて高さ調整部材収納部開口部１５を設けている。高さ調整部材収納部開口部１５から高さ調整部材（Ａ）１７の収納、取出しを行う。
高さ調整部材収納部ストッパ１６は、高さ調整部材（Ａ）１７が高さ調整部材収納部１４から外に飛び出さないようにするためのものであり、折り返して高さ調整部材収納部開口部１５を覆う構造としている。
高さ調整部材収納部開口部１５、高さ調整部材収納部ストッパ１６を設ける方向は、上下方向（図４、５のＹ方向）であってもよく、これらに限定されるものではない。
【００１９】枕カバー１１すなわち枕収納部１２、高さ調整部材収納部１４及び高さ調整部材収納部ストッパ１６の材質は、肌ざわり、通気性のよい布であることが好ましいが、これに限定されるものではない。
【００２０】図６、７に示す高さ調整部材（Ａ）１７は、枕１の高さ（図２、３のＺ方向）を増やすために設けたものであり、図４、５に示す高さ調整部材収納部１４に収納されるよう板形状をしている。高さ調整部材（Ａ）１７の水平方向（図６のＸ方向）、上下方向（図６、７のＹ方向）及び鉛直方向（図７のＺ方向）の長さは、それぞれ高さ調整部材収納部１４の水平方向（図４のＸ方向）、上下方向（図４、５のＹ方向）及び鉛直方向（図５のＺ方向）と同じまたは少し短い程度であればよいが、これらに限定されるものではない。高さ調整部材（Ａ）１７は頭支持部材２、側面部材４と同様に弾力性を有した柔らかい材質を用いる。例えばスポンジが好ましいが、これに限定されるものではない。
【００２１】図８、９に示す高さ調整部材（Ｂ）１８も高さ調整部材（Ａ）１７と同様に枕１の高さを増やすために設けたものである。ただし高さ調整部材収納部１４に収納されるものではなく、枕１を収納した枕収納部１２と高さ調整部材（Ａ）１７を収納した高さ調整部材収納部１４とで挟み込んで使用するものである。
図８、９に示すように、高さ調整部材（Ｂ）１８は部材１９、部材カバー２０から構成される。
【００２２】部材カバー２０の水平方向（図８のＸ方向）、上下方向（図８、９のＹ方向）及び鉛直方向（図９のＺ方向）の長さは、それぞれ高さ調整部材収納部１４の水平方向（図４のＸ方向）、上下方向（図４、５のＹ方向）及び鉛直方向（図５のＺ方向）と同じまたは少し短い程度であればよいが、これらに限定されるものではない。
部材カバー２０の材質は枕カバー１１と同様に肌ざわり、通気性のよい布であることが好ましいが、これに限定されるものではない。
【００２３】部材１９の水平方向（図８のＸ方向）、上下方向（図８、９のＹ方向）及び鉛直方向（図９のＺ方向）の長さは、それぞれ部材カバー２０に収納されるように、部材カバー２０の水平方向（図８のＸ方向）、上下方向（図８、９のＹ方向）及び鉛直方向（図９のＺ方向）と同じまたは少し短い程度であればよいが、これらに限定されるものではない。
部材１９は頭支持部材２、側面部材４及び高さ調整部材（Ａ）１７と同様に弾力性を有した柔らかい材質を用いる。例えばスポンジが好ましいが、これに限定されるものではない。
【００２４】次に、枕１、高さ調整部材（Ａ）１７及び高さ調整部材（Ｂ）１８の使用方法を説明する。
最初に枕１の使用方法を図１０により説明する。図４、５の枕収納部開口部１３から枕１を枕収納部１２に収納する。図１０は枕１を収納した枕収納部１２を高さ調整部材収納部１４の上側（図１０のＺ方向の上側）に折り返した使用方法を表わした右側面図である。この状態で本考案に係る枕を使用すれば、図１〜３を用いて前述したように、首支持部材３は首を支えるのに適した構造であり、かつ頭支持部材２よりも硬い材質を用いるため、首の沈み込む深さが頭より浅くなる。そのため睡眠中の姿勢を首で支えるため、肩こり、首こり、寝違えを防止し安眠出来る。かつ切込線５を設けていることにより、頭支持部材２で頭をより安定して支持することが出来る。さらに排気穴６、空洞部７を設けていることにより、空洞部７の空気、熱を枕１の外部に排出し温度を下げ、枕１の必要以上の温まりを防止し安眠出来る。
【００２５】次に高さ調整部材（Ａ）１７の使用方法を図１１により説明する。図４、５の枕収納部開口部１３から枕１を枕収納部１２に収納し、高さ調整部材収納部開口部１５から高さ調整部材（Ａ）１７を収納する。図１１は枕１を収納した枕収納部１２を、高さ調整部材（Ａ）１７を収納した高さ調整部材収納部１４の上側（図１１のＺ方向の上側）に折り返した使用方法を表わした右側面図である。図１１を図１０と比較すると、高さ調整部材（Ａ）１７も使用した図１１は枕１だけを使用した図１０よりも高くなる（図１１は図１０よりもＺ方向が長い）。枕１だけでは自分の希望する高さに足りない場合でも、高さ調整部材（Ａ）１７を使用すれば希望する高さにすることが出来る。
【００２６】最後に高さ調整部材（Ｂ）１８の使用方法を図１２により説明する。
図４、５の枕収納部開口部１３から枕１を枕収納部１２に収納し、高さ調整部材収納部開口部１５から高さ調整部材（Ａ）１７を収納し、高さ調整部材（Ｂ）１８を高さ調整部材収納部１４の上に載せる。図１２は枕１を収納した枕収納部１２を、高さ調整部材（Ｂ）１８の上側（図１２のＺ方向の上側）に折り返して、高さ調整部材（Ｂ）１８を挟み込んだ使用方法を表わした右側面図である。
図１２を図１０、１１と比較すると、高さ調整部材（Ｂ）１８を使用した図１２は、枕１だけを使用した図１０、枕１と高さ調整部材（Ａ）１７を使用した図１１よりも高くなる（図１２は図１０、１１よりもＺ方向が長い）。高さ調整部材（Ａ）１７を使用すれば自分の希望する高さにすることが出来るが、高さ調整部材（Ｂ）１８を使用すれば更に希望する高さにすることが出来る。
【符号の説明】
【００２７】１  枕
２  頭支持部材
３  首支持部材
４  側面部材
５  切込線
６  排気穴
７  空洞部
１１  枕カバー
１２  枕収納部
１３  枕収納部開口部
１４  高さ調整部材収納部
１５  高さ調整部材収納部開口部
１６  高さ調整部材収納部ストッパ
１７  高さ調整部材（Ａ）
１８  高さ調整部材（Ｂ）
１９  部材
２０  部材カバー
【図１】
0003161100.tif 000003
【図２】
0003161100.tif 000004
【図３】
0003161100.tif 000005
【図４】
0003161100.tif 000006
【図５】
0003161100.tif 000007
【図６】
0003161100.tif 000008
【図７】
0003161100.tif 000009
【図８】
0003161100.tif 000010
【図９】
0003161100.tif 000011
【図１０】
0003161100.tif 000012
【図１１】
0003161100.tif 000013
【図１２】
0003161100.tif 000014